【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
精度管理試料を測定する精度管理測定を試薬を用いて行う測定部と、
表示部と、
前記測定部により得られた精度管理測定の結果と併せて、当該精度管理測定に使用された試薬の状態を検証するための試薬情報を前記表示部に表示させる制御部と、
を備え、
前記制御部は、過去に行われた複数の精度管理測定の各測定結果を時系列に示し、且つ、測定結果のそれぞれを指定可能な精度管理結果画面を前記表示部に表示させ、測定結果が指定された場合に、指定された測定結果に対応する精度管理測定に使用された試薬の状態を検証するための試薬情報を前記表示部に表示させるように構成されている、
検体分析装置。
【請求項２】
前記測定部により得られた精度管理測定の結果、及び、前記測定部による精度管理測定に使用された試薬に関する情報を記憶する記憶部をさらに備え、
前記制御部は、前記記憶部に記憶された情報に基づき、前記測定部により得られた精度管理測定の結果と併せて、当該精度管理測定に使用された試薬の状態を検証するための試薬情報を前記表示部に表示させる、
請求項１に記載の検体分析装置。
【請求項３】
前記制御部は、前記精度管理測定に使用された試薬の状態を検証するための試薬情報として、前記精度管理測定に使用された試薬が前記測定部に設置されてから前記精度管理測定に使用されるまでの経過時間を前記表示部に表示させる、
請求項１又は２に記載の検体分析装置。
【請求項４】
前記制御部は、前記精度管理測定に使用された試薬の状態を検証するための試薬情報として、前記精度管理測定に使用された試薬を収容していた試薬容器の識別情報を前記表示部に表示させる、
請求項１〜３のいずれか１項に記載の検体分析装置。
【請求項５】
前記制御部は、前記精度管理測定に使用された試薬の状態を検証するための試薬情報として、前記精度管理測定に使用された試薬を作製した試薬作製者を前記表示部に表示させる、
請求項１〜４のいずれか１項に記載の検体分析装置。
【請求項６】
前記測定部は、複数の測定項目について精度管理測定が可能であり、
前記制御部は、複数の測定項目について行われた精度管理測定の結果を示し、且つ、測定項目のそれぞれを指定可能な精度管理結果画面を前記表示部に表示させ、測定項目が指定された場合に、指定された測定項目についての精度管理測定に使用された試薬の状態を検証するための試薬情報を前記表示部に表示させるように構成されている、
請求項１〜５のいずれか１項に記載の検体分析装置。
【請求項７】
前記制御部は、前記精度管理測定に使用された試薬を前記測定部に設置した設置者をさらに前記表示部に表示させる、
請求項１〜６のいずれか１項に記載の検体分析装置。
【請求項８】
前記制御部は、前記精度管理測定の指示を当該検体分析装置に対して行った測定者をさらに前記表示部に表示させる、
請求項１〜７のいずれか１項に記載の検体分析装置。
【請求項９】
前記制御部は、前記精度管理測定に使用された精度管理試料の状態を検証するための情報をさらに前記表示部に表示させる、
請求項１〜８のいずれか１項に記載の検体分析装置。
【請求項１０】
前記測定部は、被検者の検体を測定する検体測定を行うように構成され、
前記制御部は、前記測定部により測定された被検者の検体の測定結果と、ユーザが操作可能な所定の指示部とを含む検体測定結果画面を前記表示部に表示させ、前記指示部が操作された場合に、前記検体測定結果画面に表示されている測定結果の取得前に行われた精度管理測定の結果と併せて、前記精度管理測定に使用された試薬の状態を検証するための試薬情報を前記表示部に表示させるように構成されている、
請求項１〜９のいずれか１項に記載の検体分析装置。
【請求項１１】
前記制御部は、前記精度管理測定の結果として、前記検体測定結果画面に表示されている検体測定の直近に行われた精度管理測定の結果を、前記表示部に表示させるように構成されている、
請求項１０に記載の検体分析装置。
【請求項１２】
被検者の検体を測定する検体測定、及び、精度管理試料を測定する精度管理測定を、試薬を用いて行う測定部と、
表示部と、
前記測定部により測定された被検者の検体の測定結果を示す検体測定結果画面を前記表示部に表示させ、前記検体測定結果画面において所定の指示を受け付けると、前記検体測定結果画面に表示されている測定結果の取得前に行われた精度管理測定に使用された試薬の状態を検証するための試薬情報を前記表示部に表示させる制御部と、
を備える、
検体分析装置。
【請求項１３】
精度管理試料を測定する精度管理測定を試薬を用いて行う測定部に接続されたコンピュータを、
前記測定部により得られた精度管理測定の結果と併せて、当該精度管理測定に使用された試薬の状態を検証するための試薬情報を、前記コンピュータに設けられた表示部に表示させる手段であって、過去に行われた複数の精度管理測定の各測定結果を時系列に示し、且つ、測定結果のそれぞれを指定可能な精度管理結果画面を前記表示部に表示させ、測定結果が指定された場合に、指定された測定結果に対応する精度管理測定に使用された試薬の状態を検証するための試薬情報を前記表示部に表示させる手段、
として機能させるためのコンピュータプログラム。
【請求項１４】
被検者の検体を測定する検体測定、及び、精度管理試料を測定する精度管理測定を、試薬を用いて行う測定部に接続されたコンピュータを、
前記測定部により測定された被検者の検体の測定結果を示す検体測定結果画面を、前記コンピュータに設けられた表示部に表示させる手段、及び、
前記検体測定結果画面において所定の指示を受け付けると、前記検体測定結果画面に表示されている測定結果の取得前に行われた精度管理測定に使用された試薬の状態を検証するための試薬情報を前記表示部に表示させる手段、
として機能させるためのコンピュータプログラム。
【手続補正２】
【補正対象書類名】明細書
【補正対象項目名】０００８
【補正方法】変更
【補正の内容】
【０００８】
上述した課題を解決するために、本発明の一の態様の検体分析装置は、精度管理試料を測定する精度管理測定を試薬を用いて行う測定部と、表示部と、前記測定部により得られた精度管理測定の結果と併せて、当該精度管理測定に使用された試薬の状態を検証するための試薬情報を前記表示部に表示させる制御部と、を備え、
前記制御部は、過去に行われた複数の精度管理測定の各測定結果を時系列に示し、且つ、測定結果のそれぞれを指定可能な精度管理結果画面を前記表示部に表示させ、測定結果が指定された場合に、指定された測定結果に対応する精度管理測定に使用された試薬の状態を検証するための試薬情報を前記表示部に表示させるように構成されている。
【手続補正３】
【補正対象書類名】明細書
【補正対象項目名】００１３
【補正方法】削除
【補正の内容】
【手続補正４】
【補正対象書類名】明細書
【補正対象項目名】００２１
【補正方法】変更
【補正の内容】
【００２１】
本発明の一の態様のコンピュータプログラムは、精度管理試料を測定する精度管理測定を試薬を用いて行う測定部に接続されたコンピュータを、前記測定部により得られた精度管理測定の結果と併せて、当該精度管理測定に使用された試薬の状態を検証するための試薬情報を、前記コンピュータに設けられた表示部に表示させる手段であって、過去に行われた複数の精度管理測定の各測定結果を時系列に示し、且つ、測定結果のそれぞれを指定可能な精度管理結果画面を前記表示部に表示させ、測定結果が指定された場合に、指定された測定結果に対応する精度管理測定に使用された試薬の状態を検証するための試薬情報を前記表示部に表示させる手段、として機能させる。